(57)【特許請求の範囲】
【請求項１】
床下空間を空調空気の供給路とし、床面に吹出口を形成した空気調和装置において、該吹出口の裏面側周囲において、吹出口の中心から放射状となる位置に一ないし複数の整流板を垂直配置したことを特徴とする空調用床吹出口。
【請求項２】
前記吹出口の内周面にリングを嵌め付け固定するとともに、リングの下縁に、その底面内側から外側に向けて折畳み展開可能な、一ないし複数の整流板を垂直に軸受けしたことを特徴とする請求項１に記載の空調用床吹出口。
【発明の詳細な説明】
【０００１】
【発明の属する技術分野】
本発明は、渦流が生ずることによる風量減少を防止できるようにした空調用床吹出口に関する。
【０００２】
【従来の技術】
フリーアクセスフロアや浮き床を利用して床吹出し方式にて室内を空調する場合、一般的には床下空間を空調空気の供給路として用い（床下チャンバー）、床面に形成した吹出口を通じて室内に空調空気を送風し、これによって室内の空気と混合しつつ室内を空調雰囲気に保っている。吹出口にはゴミ受けおよび風量調節を兼用したバスケットが付加されている場合もある。
【０００３】
【発明が解決しようとする課題】
床下チャンバ内における空調空気の流れは、場所により渦を巻く場合がある。特に床吹出口を中心とする渦流が発生した場合には、床吹出口付近の静圧が低下して床吹出口から室内に吹き出す風量も減少し、設定された風量に満たない場合が生ずる。
【０００４】
例えば測定された一例として、１４３立方メータ／毎時供給されるはずの空調空気が渦流のために１１６立方メータ／毎時に減少する場合などがあり、その都度設定風量を確保するために、他の床吹出口を含めて風量を調整する作業が必要となり、煩雑な手間を要していた。
【０００５】
本発明は以上の問題点を解決するものであり、その目的は、床吹出口付近での渦流の発生がなく、これによる風量の減少や、吹出し量調整の手間を省略できるようにした空調用床吹出口を提供するものである。
【０００６】
【課題を解決するための手段】
以上の目的を達成するため、本発明のうち請求項１に記載の発明は、床下空間を空調空気の供給路とし、床面に吹出口を形成した空気調和装置において、該吹出口の裏面側周囲において、吹出口の中心から放射状となる位置に一ないし複数の整流板を垂直配置したことを特徴とするものである。
【０００７】
したがって、請求項１に記載の発明によれば、床下チャンバに供給された空調空気に渦流が生じても空気流が整流板に沿って流れることで吹出口付近では渦流を抑制することになる。
【０００８】
本発明のうち、請求項２に記載の発明は、前記吹出口の内周面にリングを嵌め付け固定するとともに、リングの下縁にその底面内側から外側に向けて折畳み展開可能な一ないし複数の整流板を旋回可能に垂直軸受けしたことを特徴とするものである。
【０００９】
したがって、請求項２に記載の発明によれば、リングを吹出口に嵌合固定する時には整流板を底面内側に折畳んだ状態にしておき、リングの取付け後は、整流板を外側に向けて気流方向に位置させれば、整流効果を得られ、その取付および調整作業も簡単となる。
【００１０】
【発明の実施の形態】
以下、本発明の好ましい実施の形態につき、添付図面を参照して詳細に説明する。
【００１１】
図１は本発明の第一の実施の形態による吹出口付近の構成を示すもので、床スラブ１上には複数の束材などを介して床４が配置され、床４の上部を室内空間としている。そして、この床４と床スラブ１との間の空間を空調用の床下チャンバとしてこの内部に矢印に示すように空調空気を流しているとともに、床４の適宜位置には吹出口を構成する開口５を形成し、この開口５には床４と上面が一致する通気蓋６を取付けている。
【００１２】
また、開口５の周囲において、床４の下面には、空調空気の矢印に示す流通方向にほぼ沿って４枚の空気整流板８が垂直固定されている。
【００１３】
したがって、この開口５の付近を流通する空調空気に渦流が生じようとした場合、その渦流の流れは、整流板８の表裏を通過する時に整流され、開口５および通気蓋６に明けられている各通気孔６ａを伝って室内側に向けて吹出すことになり、渦流発生に伴う開口周縁の静圧減少に伴う空気量減少を生ずることなく、設定風量に応じた空気量が室内に供給されることになる。
【００１４】
なお、以上の実施の形態では、四枚の整流板８を設けた場合を示したが、一枚の整流板８を配置するだけでも十分な整流効果を得られる。
【００１５】
図２，３は本発明の第二の実施の形態を示している。なお、前記第一の実施の形態と同一部分には同一符号を付し、異なる箇所あるいは新たに付加された部材にのみ異なる符号を付して説明する。
【００１６】
図における開口５には、リング１０が嵌合固定され、その上に通気蓋６が、その上面を床６の上面に合わせるように設置される。このリング１０は、下部に二枚の整流板１２を配置し、上部内周に前記通気蓋６を着脱可能に嵌合し、さらに内底面にゴミあるいは小落下物の受け用のネット１４を設置したものであり、開口５の内径にほぼ等しい外形の短い筒部１０ａと、筒部１０の上部外側に一体化されたフランジ部１０ｂと、筒部１０ａの上部内側に突出し、前記通気蓋６を設置するための段部１０ｃと、筒部の底面に一体化された内側フランジ部１０ｄとからなっている。
【００１７】
そして、この内側フランジ部１０ｄに固定用のビス１６を介して、前記各整流板１２の旋回軸１２ａを折畳み展開可能に垂直支持するとともに、内側フランジ部ｄの上部にネット１４を設置している。
【００１８】
したがって、リング１０を開口５に取付けるときには、図２の実線で示すごとく、各整流板１２を筒部１０ａの底面内側に重複した状態に折畳んでおき、開口５に嵌合する。
【００１９】
その後、各整流板１２を旋回させてリング１０の外周側に展開し、放射状に配置固定される。
【００２０】
その後、必要に応じバスケットを構成させるためのネット１４をリング１０の内底面に設置し、上部を通気蓋６で閉じれば作業を完了する。
【００２１】
したがって、この実施の形態によれば、リング１０の取付と同時に床上側から整流板１２の配置、取付位置調整作業を行うことができ、整流板１２の配置作業をさらに簡略化できる。
【００２２】
なお、前記実施の形態では、二枚の整流板１２をリング１０に設けた場合を示したが、それ以外の枚数の整流板を配置することも可能であることは勿論である。
【００２３】
さらには、各実施の形態において、床下にダクトを設ける場合においても本発明を実施できる。
【００２４】
【発明の効果】
以上の説明により明らかなように、本発明による空調用床吹出口にあっては、床下チャンバに供給された空調空気に渦流が生じても、吹出口付近では空気流が整流板に沿って流れることで、従来のような渦流発生による吹出し量減少がなく、これに伴う面倒な調整作業を省略できる。
【図面の簡単な説明】
【図１】本発明の一実施形態に係る空調用床吹出口付近の構造を示す説明図である。
【図２】本発明の他の実施形態に係る空調用床吹出口付近の構造を示す分解斜視図である。
【図３】図２の組付後における断面図である。
【符号の説明】
１  床スラブ
４  床
５  吹出口用開口
８，１２  空気整流板
１０  リング
【図１】
0003783322.tif 000002
【図２】
0003783322.tif 000003
【図３】
0003783322.tif 000004